(57)【特許請求の範囲】
【請求項１】
センサーアレーになり、中には複数の周りに設ける移動ベクトルを判断するためのエネルギー状態と変化の信号を含むエネルギー信号を提供しなくて単に光信号を判断するためのダミー誘導ユニット及び中央部分に設ける光線を受光して動作する誘導ユニットが設けられており、当該センサーアレーが表面に反射される光線を受けるのに用いられる、アレー状に配列された複数の誘導ユニットと、
各コンパレーターが一つの誘導ユニットに対応して接続され、入力される二つのエネルギー信号を比較するのに用いられ、中の一つの信号は当該誘導ユニットが生じるエネルギー信号であり、もう一つは平均値である、複数のコンパレーターと、
当該表面に入射する光線を発生させる光源装置と、
当該複数の誘導ユニットと、当該複数のコンパレーターと、当該光源装置とに電気的に接続され、当該光源装置を制御して当該光線を発生させ、当該複数の誘導ユニットのエネルギー信号を受け、当該複数の誘導ユニットのエネルギー信号の中の全て又は一部の非ダミー誘導ユニットのエネルギー信号のみをピックアップし、当該平均値を計算し、各当該非ダミー誘導ユニットと当該平均値との差を計算し、当該差により当該表面に反射されてなる空間干渉のエネルギー差異を判断し、時間間隔毎の前後に累積して計算したエネルギー差により、移動方向を判断する制御回路と、を備え、
当該差により当該表面に反射されてなる空間干渉のエネルギー差異を判断し、時間間隔毎の前後に累積して計算したエネルギー差により、移動方向を判断することは、
当該差により各当該非ダミー誘導ユニットのエネルギー状態を取得し、各当該非ダミー誘導ユニットはデジタル方式の高と低でエネルギー状態を表し、全ての当該非ダミー誘導ユニットを複数の隣接する誘導ユニットの組み合わせに分割し、各当該誘導ユニットの組み合わせは少なくとも二つの隣接する非ダミー誘導ユニットを含み、第1の時刻のt0と第2の時刻のt1は前後の二つのサンプリング時刻であり、
二つの隣接する非ダミー誘導ユニットは、当該第1の時刻のt0において、別々に低と高の二つのエネルギー状態を誘導し、当該第2の時刻のt1になると、当該低と高の二つのエネルギー状態は高と高になる場合、当該第1の時刻のt0と当該第2の時刻のt1の時間間隔では、左への移動方向があることを判断し、
当該二つの隣接する非ダミー誘導ユニットは、当該第1の時刻のt0において、別々に高と低の二つのエネルギー状態を誘導し、当該第2の時刻のt1になると、当該高と低の二つのエネルギー状態は低と低になる場合、当該第1の時刻のt0と当該第2の時刻のt1の時間間隔では、左への移動方向があることを判断し、
当該二つの隣接する非ダミー誘導ユニットは、当該第1の時刻のt0において、別々に低と高の二つのエネルギー状態を誘導し、当該第2の時刻のt1になると、当該低と高の二つのエネルギー状態は低と低になる場合、当該第1の時刻のt0と当該第2の時刻のt1の時間間隔では、右への移動方向があることを判断し、
当該二つの隣接する非ダミー誘導ユニットは、当該第1の時刻のt0において、別々に高と低の二つのエネルギー状態を誘導し、当該第2の時刻のt1になると、当該高と低の二つのエネルギー状態は高と高になる場合、当該第1の時刻のt0と当該第2の時刻のt1の時間間隔では、右への移動方向があることを判断し、
複数の隣接する非ダミー誘導ユニットは、当該第1の時刻t0と当該第2の時刻t1の時間間隔に、エネルギー変化はない、またはエネルギー変化より移動方向を判断することができない場合、有効出力信号がないことを判断し、
または、三つの隣接する非ダミー誘導ユニットは、当該第1の時刻t0において、別々にX@@の三つのエネルギー状態を誘導し、当該第2の時刻のt1になると、当該X@@の三つのエネルギー状態は@@Xになる場合、当該第1の時刻のt0と当該第2の時刻のt1の時間間隔では、左への移動方向があることを判断し、当該@は反射光を受光した時、当該非ダミー誘導ユニットが異なる時刻に受けた信号エネルギーと平均エネルギーとを比較する時、高い又は低い異なる電圧信号を生じていることを示し、当該Xはエネルギー変化がなくことを示し、
当該三つの隣接する非ダミー誘導ユニットは、当該第1の時刻t0において、別々に@@Xの三つのエネルギー状態を誘導し、当該第2の時刻のt1になると、当該@@Xの三つのエネルギー状態はX@@になる場合、当該第1の時刻のt0と当該第2の時刻のt1の時間間隔では、右への移動方向があることを判断し、
ここで、Xは気にしない値であり、当該非ダミー誘導ユニットが当該第1の時刻t0と当該第2の時刻のt1とに受けた信号エネルギーと当該平均値とを比較する時、エネルギー変化がなく又は電圧信号のレベルと関係ないことを示し、
@はt0とt1とのセンシングした信号の比であり、当該非ダミー誘導ユニットが当該第1の時刻t0と当該第2の時刻のt1とに受けた信号エネルギーと当該平均値とを比較する時、高い又は低い異なる電圧信号を生じることを示し、
当該第1の時刻t0と当該第2の時刻t1の全ての非ダミー誘導ユニットが各々のエネルギー変化の方向を判断した時、一つの総移動ベクトルを全体的に判断すること、
を含むことを特徴とする光センサーアレー装置。
【請求項２】
当該複数の誘導ユニットの間に固定のスペースと均一な相対的な位置を有することを特徴とする請求項１に記載の光センサーアレー装置。
【請求項３】
当該アレー状に配列された複数の誘導ユニットは、集積回路内に封止されることを特徴とする請求項２に記載の光センサーアレー装置。
【請求項４】
当該制御回路は、当該光源装置の露光時間を動的に調整することを特徴とする請求項１に記載の光センサーアレー装置。
【請求項５】
当該光源装置は、空間コヒーレンスのよい光源であることを特徴とする請求項４に記載の光センサーアレー装置。
【請求項６】
当該光源装置は、レーザー光装置であることを特徴とする請求項４に記載の光センサーアレー装置。
【請求項７】
当該制御回路は、パルス幅変調制御信号の負荷サイクルを制御することで、当該光源装置の発光サイクルを制御することを特徴とする請求項５に記載の光センサーアレー装置。
【請求項８】
当該制御回路は、さらに当該複数の誘導ユニットが出力するエネルギー信号のゲインを動的に調整することを特徴とする請求項５に記載の光センサーアレー装置。
【請求項９】
当該制御回路は、当該複数の誘導ユニットからなる当該センサーアレーにフィードバックされるエネルギー信号により、各誘導ユニットの信号ゲインを制御することを特徴とする請求項８に記載の光センサーアレー装置。
【請求項１０】
当該制御回路は、当該光源装置が発生させる光強度を調整することを特徴とする請求項１に記載の光センサーアレー装置。
【請求項１１】
当該制御回路は、当該複数のダミー誘導ユニットが取得する光強度信号により、当該光源装置の駆動電流を調整し、当該光源装置が発生させる光強度を調整することを特徴とする請求項１０に記載の光センサーアレー装置。
【請求項１２】
加算器とゲイン増幅器を備え、
当該加算器は、電気的に各当該誘導ユニットに接続され、各当該誘導ユニットの光電流信号を取得し、各当該誘導ユニットの光電流信号をＡＤ転換により電圧値になれ、当該電圧値を当該ゲイン増幅器により処理して当該コンパレーターに出力し、当該電圧値を当該制御回路に出力することを特徴とする請求項１に記載の光センサーアレー装置。
【請求項１３】
当該制御回路は、
当該光源装置に電気的に接続され、当該光源装置が動作するための電力を提供し、当該光源装置に給電駆動して発光させる電圧源と、
当該光源装置に電気的に接続され、関わる電気信号を光源装置に提供でき、又は関わる電気信号を電流コントローラにフィードバックする電流制限器と、  
当該電流制限器と第二のゲインコントローラとに電気的に接続され、当該光源装置の電圧と電流をコントロールし、当該光源装置の駆動電流を制限する電流コントローラと、
当該ダミー誘導ユニットで反射光を受光してなる光強度信号を調整して電圧を出力し、調整した光強度信号をアナログ・ディジタル・コンバータに出力する第一のゲインコントローラと、
当該第一のゲインコントローラに電気的に接続され、当該調整した光強度信号をデジタル信号に転換し、マイクロプロセッサーにフィードバックする当該アナログ・ディジタル・コンバータと、
当該アナログ・ディジタル・コンバータと、当該第二のゲインコントローラと、当該電流コントローラとに電気的に接続され、当該光源装置の露光時間を自動的に調整し、当該光源装置は発生させる光強度を調整し、当該第二のゲインコントローラにより各当該誘導ユニットの信号ゲインを制御し、当該複数の誘導ユニットのエネルギー信号の中の全て又は行又は列又は周辺又は中央部分の非ダミー誘導ユニットのエネルギー信号のみをピックアップし、当該平均値を計算し、当該複数のコンパレーターの比較結果に基づいて当該表面に反射されてなる空間干渉のエネルギー差異を判断し、時間間隔毎の前後に累積して計算したエネルギー差により、移動方向を判断する当該マイクロプロセッサーと、
を備えることを特徴とする請求項１に記載の光センサーアレー装置。
【発明の詳細な説明】
【技術分野】
【０００１】
本発明は光センサーアレー装置に関して、特に複数のアレー状に配列された誘導チップを用いて形成するセンサーアレー装置に関する。
【背景技術】
【０００２】
光センサーは、ＣＭＯＳ（相補型金属酸化膜半導体）、ＣＣＤ（電荷結合素子）等のようなセンシングデバイスにより、受光した光線を電気的信号に転換する。一般的な技術では、このようなデバイスにより特定な光源の強度（エネルギー）を取得でき、これにより、距離の判断（距離センサーとして）、及びエネルギーの時間的な変化の判断ができ、さらに映像をピックアップするデバイスともしている。
【０００３】
光学ポインティング装置、例えコンピューターマウスは、光センサーを用い軌跡移動を判断する。発生される光線がオペレーション平面に入射すると、前後の時刻に受けるエネルギーの変化により、画像処理をし一つの移動ベクトルを判断することができる。図１は光学式マウス１０の内部回路を示す模式図である。光学式マウス１０は表面１１の上を移動し、マウスハウジング１２の内部回路の主要な部品として、若干の光学部品の他に、回路部分に回路基板１４が設けられ、回路基板１４に発射光とセンシング光を制御及び計算するコントローラ１８、及び光源１６とセンサー１９が設けられている。
【０００４】
この光学式マウス１０のハウジング１２に外部表面１１に向いた一つのアパーチャー（ａｐｅｒｔｕｒｅ）１７を有し、この回路基板１４がこのアパーチャー１７の近傍に設けられ、回路基板１４に例えレーザー又は発光ダイオード（ＬＥＤ）の光源１６が設けられている。図面の点線のように示され、この光学式マウス１０は動作する時、光源１６が連続的に発射光を発生させ、特定の角度で表面１１に入射し、センサー１９により反射光の信号を取得し、又は反射光の強度のイメージ分布を取得し（センサー１９は例えばＣＭＯＳ又はＣＣＤイメージ・センサーでいい）、そしてコントローラ１８は光学式マウス１０の移動方向を分析することができる。
【０００５】
上記のよく知られた光学式マウス１０の軌跡判断の技術には、表面１１により取得される反射光の信号に強く依存するので、普通光学式マウス１０の機能は表面１１の形によって異なるパフォーマンスになる。
【０００６】
光線追跡するために、一般的な技術では、表面１１が透明な又は光を反射しにくい材料であることで、判断不能の問題があり、追跡できなくなり、係わる光学式マウス１０はスムーズに操作できない。
【０００７】
従来では、光線追跡装置に異なる平面でもある程度の追跡機能をキープさせようとすると、光線移動動作を取得する方式は付加の外部ポジションニング・センシング又は複雑な演算を多く使われる。しかし、これらのポジションニング・センシング又は演算は、感度の制限と、高いエネルギー消費と、複雑なアルゴリズム等の理由で、有限的な平面様態にしか適応しない。これらの普通の方式はすべての高反射の又は極めて低い反射率の平面に適応することができない。これらのよく知られた光センサーは全ての高反射又は極めて低い反射率の平面に適応するわけではない。
【発明の概要】
【発明が解決しようとする課題】
【０００８】
本発明は、従来の光線追跡装置が異なる平面で追跡機能をキープできなく、そしてすべての高反射の又は極めて低い反射率の平面に適応することができない課題を解決できる光線追跡方法及び装置を提供することを目的とする。
【課題を解決するための手段】
【０００９】
本発明は、光センサーアレー装置であり、
センサーアレーになり、中には複数のダミー誘導ユニットが設けられており、当該センサーアレーが表面に反射される光線を受けるのに用いられる、アレー状に配列された複数の誘導ユニットと、
各コンパレーターが一つの誘導ユニットに対応して接続され、入力される二つのエネルギー信号を比較するのに用いられ、中の一つの信号は当該誘導ユニットが生じるエネルギー信号であり、もう一つは平均値である、複数のコンパレーターと、
当該表面に入射する光線を発生させる光源装置と、
当該複数の誘導ユニットと、当該複数のコンパレーターと、当該光源装置とに電気的に接続され、当該光源装置制御し当該光線を発生さえることと、および当該複数の誘導ユニットのエネルギー信号を取得することに用いられ、当該表面に反射されてなる空間干渉のエネルギー差異を判断する制御回路とを備える。
【００１０】
具体的に、当該複数の誘導ユニットの間に固定のスペースと均一な相対的な位置を有する。
【００１１】
具体的に、当該アレー状に配列された複数の誘導ユニットは、集積回路内に封止される。
【００１２】
具体的に、当該制御回路は、当該光源装置の露光時間を動的に調整する。
【００１３】
具体的に、当該光源装置は、空間コヒーレンスのよい光源である。
【００１４】
具体的に、当該光源装置は、レーザー光装置である。
【００１５】
具体的に、当該制御回路は、パルス幅変調制御信号の負荷サイクルを制御することで、当該光源装置の発光サイクルを制御する。
【００１６】
さらに、当該制御回路は、当該複数の誘導ユニットが出力するエネルギー信号のゲインを動的に調整する。
【００１７】
具体的に、当該制御回路は、当該複数の誘導ユニットからなる当該センサーアレーにフィードバックされるエネルギー信号により、各誘導ユニットの信号ゲインを制御する。
【００１８】
具体的に、当該制御回路は、当該複数の誘導ユニットのエネルギー信号を受けた後、中の全て又は一部の非ダミー誘導ユニットのエネルギー信号のみをピックアップし、当該平均値を計算する。
【００１９】
具体的に、当該制御回路は、当該光源装置が発生させる光強度を調整する。
【００２０】
具体的に、当該制御回路は、当該複数のダミー誘導ユニットが取得する光強度信号により、当該光源装置の駆動電流を調整し、当該光源装置が発生させる光強度を調整する。
【００２１】
具体的に、当該ダミー誘導ユニットは、当該センサーアレーの周りに設けられている。
【００２２】
本発明は、反射干渉により光線追跡を行う方法及び光線追跡装置であり、追跡識別の根拠として、表面で反射される光と元の発射光との建設的に干渉と相殺的に干渉するパターンを使用し、あらゆる様態の平面上での追跡機能を備え、全ての高反射又は極めて低い反射率の平面に適応することができる。
【図面の簡単な説明】
【００２３】
【図１】図１は従来の光学式マウスの内部回路の模式図である。
【図２】図２は本発明の入射平面と反射光の反射光経路の模式図である。
【図３】図３は本発明の光センサーアレー装置の集積回路内に封止されたセンサーアレーの模式図である。
【図４】図４は本発明の光センサーアレー装置の実施例である。
【図５】図５は本発明の光センサーアレー装置の誘導ユニットのレイアウトの模式図である。
【図６】図６は本発明の光センサーアレー装置内の光源のゲイン制御及びノイズ・リダクション回路のモジュール図である。
【図７】図７は本発明の光センサーアレー装置の各誘導ユニットが光線追跡方法を行う模式図の一つである。
【図８】図８は本発明が開示した装置の各誘導・ユニットが光線追跡方法を行う模式図のもう一つである。
【発明を実施するための形態】
【００２４】
以下、本発明の実施例の図面を参照しながら、本発明の実施例の中の技術方案を明晰、且つ完全に述べる。
【００２５】
本発明は光センサーアレー装置を述べ、つまりアレー状に配列された誘導チップを有してなるセンサーアレーである。実施例の一つは、表面に反射される光線を受光し、そして複数の誘導チップが受けた反射光のエネルギーにより、反射光中の建設的又は相殺的干渉パターンを判断し、前後の時間にエネルギー変化を判断することで、一つの移動ベクトルを判断する。光ポインティング装置に適用にされると、その表面に対する移動方向を判断することができる。
【００２６】
例えば、光学式マウスを例として，もし光源としてコヒーレント光（ｃｏｈｅｒｅｎｔ  ｌｉｇｈｔ）即ち空間コヒーレンス（ｓｐａｔｉａｌ  ｃｏｈｅｒｅｎｃｅ）のよい光線を使用し、これにより移動方向を検出し、感度コンペンセーション（ｓｅｎｓｉｔｉｖｉｔｙ  ｃｏｍｐｅｎｓａｔｉｏｎ）の方式も組み合わせ、光線追跡アルゴリズム（ｍｏｖｅｍｅｎｔ  ｒｅｃｏｇｎｉｔｉｏｎ  ａｌｇｏｒｉｔｈｍ）を利用するとともに、ノイズ・リダクションもできる。従って、この技術を使用する装置はあらゆる様態の平面に適応する。
【００２７】
ちなみに、本発明が提案した光センサーアレー装置は、コヒーレント光源統合型パッケージング技術（ｃｏｈｅｒｅｎｔ  ｌｉｇｈｔ  ｓｏｕｒｃｅ  ｐａｃｋａｇｅ  ｉｎｔｅｇｒａｔｉｏｎ）が採用される。このような技術を採用する装置、例えば光学ポインティング装置は、余分の光学レンズ又は特定なイメージ・センサー、例えば相補型金属酸化膜半導体イメージ・センサー（ＣＭＯＳ  ｉｍａｇｅ  ｓｅｎｓｏｒ，ＣＩＳ）を、実装する必要がない。
【００２８】
従来の技術では、一般的な光センサーを採用する装置（例えば光学式マウス）は、全ての高反射又は極めて低い反射率の平面に適応するわけでない。本発明は光センサーアレー装置を提案し、複数のアレー状に配列された誘導チップ及びその対応する追跡アルゴリズムを含むことで、有效な追跡の効果を奏する。中の実施例はレーザー光等の空間コヒーレンス（ｓｐａｔｉａｌ  ｃｏｈｅｒｅｎｃｅ）のよい光源も備え、これにより、光学式マウス等のような装置に良好な追跡能力を提供する。追跡識別の根拠として、本発明は表面に反射される光を利用して建設的と相殺的干渉パターンを発生させる。
【００２９】
先ず、図２に示す特定な光源装置（図２に図示せず）が入射光２０１を発生させ、平面に入射してから反射され複数の反射光２０３を形成する模式図を参照する。光源は特に例えばレーザー光のコヒーレント光（ｃｏｈｅｒｅｎｔ  ｌｉｇｈｔ）を採用する。ここで述べた「コヒーレント光」は、空間コヒーレンスの良好な光線であること。
【００３０】
図２に示す複数の光経路は、入射光２０１が一つの表面構造２０５を持つ平面に入射してから反射され反射光２０３を形成するのを含んでいる。表面構造２０５がミクロに不規則な構造であるため、反射光２０３は図２のように異なる方向を持つ光線になる。
【００３１】
光源装置は入射光２０１を連続的に発生させ平面に入射し、反射され反射光２０３を形成する。その中、反射光２０３はセンサー（図２に図示せず）により受けられ、それぞれの光経路に建設的干渉と相殺的干渉のパターン（ｐａｔｔｅｒｎ）を生じている。ここで、特にコヒーレント光源の入射光２０１の使用は、この干渉効果（ｉｎｔｅｒｆｅｒｅｎｃｅ  ｅｆｆｅｃｔ）を強めることができる。
【００３２】
この追跡方法を行う関連回路を載せた装置がセンシング平面（Ｘ−Ｙ平面）に対して移動する時、光センサーは反射光２０３の情報を受け、時間間隔（ｔｉｍｅ  ｓｌｏｔ）に従いその中の情報をサンプリング（ｓａｍｐｌｉｎｇ）し、そして反射光２０３の平均エネルギー値を取得し、反射光２０３の異なる時間で、異なる位置でのエネルギー差を計算する。本発明が開示した光センサーアレー追跡装置は、センサーアレー（ｓｅｎｓｏｒ  ａｒｒａｙ）を採用し、反射光２０３の異なる位置のエネルギー及び、平均エネルギー値との差を取得し、移動軌跡を判断することができる。反射光２０３の平均値の計算は、全ての誘導ユニット（ｓｅｎｓｏｒ  ｃｅｌｌ）が取得したエネルギー平均値を使用し、又は一部の誘導ユニットが取得したエネルギー平均値を（例えば行（図５のＸ方向）平均値又は列（図５のＹ方向）平均値を平均値とする計算参照）使用してもいい。周辺又は中央部分のエネルギー平均値を参照平均値にすることも可能である。
【００３３】
上記のセンサーアレーを採用する実施例の一つにより、コヒーレント光を光源とすると、反射光線の干渉効果を強めることができる。コヒーレント光は、波の包絡線（ｗａｖｅ  ｅｎｖｅｌｏｐｅ）の中に極めて小さい位相遅延（ｐｈａｓｅ  ｄｅｌａｙ）を有する光源であり、その中レーザー光は一種のコヒーレント光であり、太陽光又はＬＥＤ光等の非コヒーレント光と違っている。
【００３４】
コヒーレント光を本発明が開示した光センサーアレー装置に適用し、コヒーレント光は反射光の干渉をセンシングする光学センサーの感度を改善できる。コヒーレント光は極めて小さい位相差（ｐｈａｓｅ  ｄｉｆｆｅｒｅｎｃｅ）を有する特性から、非コヒーレント光の反射光に生じる空間干渉（ｓｐａｔｉａｌ  ｉｎｔｅｒｆｅｒｅｎｃｅ）に対し、コヒーレント光では比較的に小さい位相遅延（ｐｈａｓｅ  ｄｅｌａｙ）を持つ。そのため、コヒーレント光を採用することで、反射光の空間干渉の長所を強めることができ、前記のセンサーアレー（光線に対し）一つの平面に光が反射される空間干渉の差異を取得できる。
【００３５】
センサーアレーは、図３に示す本発明の光センサーアレー装置の集積回路（ＩＣ）に封入されたセンサーアレーの模式図を参照できる。
【００３６】
図３には、光センサーアレー装置内に設けられた回路基板３０上の一つのセンサーアレー３２を示しており、光センサーアレー装置は光学式マウス又は特定のポインティング装置に適応できる。センサーアレー３２はアレー状に配列された複数の誘導ユニット３０１を有する。この統合型パッケジング技術（ｉｎｔｅｇｒａｔｅｄ  ｏｐｔｉｃａｌ  ｓｅｎｓｏｒ  ａｒｒａｙ  ｏｎ  ＩＣ）により、一実施例において、センサーアレー３２と回路集積される制御回路３６とを同時に作り、センサーアレー３２上の複数の誘導ユニット３０１（特に非ダミー誘導ユニット、図５に示すように）の間に固定のスペースと均一な相対的な位置を有し、特定な平面に反射された光線を均一に取得する。図３に示すように、光源装置３４が一つの平面に光線を発射し照射範囲３０３に当たって、光線が平面に反射されセンサーアレー３２に入射する。中には、各誘導ユニット３０１はそれぞれ異なる方向の反射光を受光し、適当な光電信号変換により、装置内のコントローラ３６と係わる回路が信号を取得した後、各誘導ユニット３０１が受けたエネルギーを足した平均値を計算できる。そして各誘導ユニット３０１と平均値との差を計算し、これにより関わる制御回路は平面に反射され形成した空間干渉のエネルギー差（ｓｐａｔｉａｌ  ｉｎｔｅｒｆｅｒｅｎｃｅ  ｄｉｆｆｅｒｅｎｃｅ）を判断して得る。コントローラ３６は時間間隔（ｔｉｍｅ  ｓｌｏｔ）毎の前後に累積して計算したエネルギー差により、移動方向を判断する。
【００３７】
上記の実施例が開示した光線追跡装置では、空間干渉とは、光線（特にコヒーレント光であるが、本発明ではコヒーレント光に限定されない）が不規則な表面構造を有する表面に入射してから、反射され異なる方向の反射光を生じることで生じる光線の干渉（ｉｎｔｅｒｆｅｒｅｎｃｅ）である。このような光線は反射された後、建設的又は相殺的に干渉するパターンを形成し、その後、センサーアレーにより相対的運動（装置と平面との相対的運動）による平面反射の空間情報を取得し、Ｘ−Ｙ平面上の移動資料を作り出す。
【００３８】
図３に示すように、特に一実施例において、本発明が開示した光センサーアレー装置を適応した担体はレーザー光を光源とする光学ポインティング装置、例えば光学式マウスである。中には、主な回路部品として、表面に入射する光線を発生させるための回路基板３０上に設けた光源装置３４と、アレー状に配列された複数の誘導ユニット３０１を持つセンサーアレー３２と、前記のコントローラ３６とを有する。当該コントローラ３６は光源装置３４とセンサーアレー３２とをカップリングし、複数の誘導ユニット３０１内の複数の誘導ピクセルが受けた光信号を取得し、エネルギー状態を計算し、そして時間間隔のエネルギー状態変化を計算する。
【００３９】
図４は光センサーアレー装置が採用するセンサーアレーがエネルギー分布を計算する実施例を続いて示す模式図である。
【００４０】
図４にセンサーアレーのレーアウトを示した。複数の誘導ユニットがＸ−Ｙ平面に分布し、Ｎ×Ｍのセンサーアレーを形成する。センサーアレーの形は対称的な矩形、正方形、円形、楕円形等の幾何学形状に限定されなく、実際の応用によって決めればよい。アレー状に配列された複数の誘導ユニット４０１、４０２、４０３、４０４、４０５が、それぞれＸ、Ｙ方向に設置されるが、実際の数はこの模式図に限定されない。これらの誘導ユニット４０１、４０２、４０３、４０４、４０５が敷設された回路基板上の主な部品は、複数のコンパレーター４２１、４２２、４２３、４２４、４２５もある。各コンパレーターそれぞれ対応する一つの誘導ユニットに接続し、その入力値は各誘導ユニットが生じたエネルギーの平均電圧信号Ｖａｖｇであり、誘導ユニットが光線をセンシングして得た電圧信号を比較することに用いられ、比較して高い又は低い電圧の信号値が得られる。最後に、制御回路は隣接する２つのセンサー値を取得し結果を比べ、移動方向を判断する。
【００４１】
例えば、図４のコンパレーター４２１は誘導ユニット４０１とカップリングし、一つの入力信号即ち誘導ユニット４０１がセンシングして得たエネルギー信号は、電圧信号で表すことができる。もう一つの入力端は、平均電圧信号Ｖａｖｇであり、従ってコンパレーター５２１がこの２つの入力信号を比較し、一つの比較結果出力する。本発明は、好ましくバイナリ特徴値（ｂｉｎａｒｙ  ｃｈａｒａｃｔｅｒｉｓｔｉｃ  ｖａｌｕｅ）、例えば図７に示すＨ又はＬでその比較結果を表す。
【００４２】
本発明に記載された光線追跡方法によると、センサーアレーを利用する追跡の方式は、光線（好ましくコヒーレント光）が平面に反射されて形成した建設的と相殺的に干渉するパターンに表示されるエネルギー分布（ｅｎｅｒｇｙ  ｐａｔｔｅｒｎ）を利用し、異なる時間のエネルギー分布の変化により、移動ベクトルを判断することを特徴とする。実施方式では、例えば非相関視点を用い移動判断（ｎｏｎ−ｒｅｌａｔｉｖｅ  ｖｉｅｗ  ｐｏｉｎｔｓ  ｔｏ  ｄｏ  ｍｏｖｅｍｅｎｔ  ｊｕｄｇｍｅｎｔ）を行う方式では、つまり周りの誘導ユニットのエネルギー情報を引き入れ、平均誘導エネルギーと比較し、移動方向を判断する。ちなみに、一般的に映像像素（ｐｉｘｅｌ）情報を利用し移動ベクトルを判断する方式と違い、本発明は時間の採用とエネルギー変化の計算とにより移動軌跡を判断する。
【００４３】
光センサーアレー装置自身に対して、実施例の一つによると、本発明の光センサーアレー装置の誘導チップレイアウトには、誘導チップがアレー状に配列された誘導ユニットを有し、これらの誘導ユニットが周りに設ける機能しない誘導ユニット（ダミー誘導ユニットという）、及び中央部分に設ける光線を受光して動作する誘導ユニットを有する。従って、光センサーアレー装置内の制御回路又は係わる計算回路は全部の誘導ユニットのエネルギー信号を取得した後、中の非ダミー誘導ユニットのエネルギー信号のみをピックアップして後に使う。図５に示す誘導ユニットレイアウトの模式図を参照する。
【００４４】
図５は一つの誘導チップにアレー状に配列された複数の誘導ユニットが設けられていることを示している。中央部分の誘導ユニットの外周りにダミーセンサー（ｄｕｍｍｙ  ｓｅｎｓｏｒ）が設けられている。その目的は、誘導チップの工程を全体的に均一することであり、これにより更に均一にエネルギーをセンシングする。図５は周りに設けられているダミー誘導ユニット５１１、５１２、５１３、５１４、５１５、５１６は動作しない誘導ユニットに設定されており、中央部分に近い誘導ユニット５２１、５２２、５２３、５２４は主な誘導光線エネルギーの誘導コンポーネントであることを示している。
【００４５】
アレー状に配列された一つの誘導ユニットは同時に一つの反射光に露光されると、光線を均一に誘導できる誘導ユニットが中央部分に偏りの誘導コンポーネントであり、周りの誘導ユニットが不均一なエネルギーを受ける可能性がある。このため、全体の誘導チップが受けた総エネルギーを加算する時、ダミー誘導ユニット（５１１、５１２、５１３、５１４、５１５、５１６）を設定することで、これらの信号の不安定が生じえるエネルギー値を排除し、比較的に参照する価値のある参照エネルギー値を取得することができる。
【００４６】
図５に示すように、回路に一つの加算器５０１が設けられ、電気的に誘導チップの各誘導ユニットに接続され、各誘導ユニットの光電流信号を取得でき、ＡＤ転換により電圧値にもなれる。しかし、誘導チップ中の各誘導ユニットが光信号を受けてなる光電流が極めて小さいので、ゲイン増幅のステージを経由し有效名参照数値を取得でき、続いて時間間隔の前後に取得したエネルギーの変化を計算する。当該実施例によると、これらの光電流信号がゲイン増幅器５０２に処理された後、一つの出力信号を形成して出力し、例えば、電圧Ｖｏｕｔで表す信号を出力する。また、計算器５０３が有效に取得したエネルギー信号により平均値を計算して出力し、例えば平均電圧信号Ｖａｖｇを出力する。
【００４７】
その後、前記の出力信号（例えば出力電圧Ｖｏｕｔ）と平均値（例えば平均電圧信号Ｖａｖｇ）は図４に示すコンパレーターに出力し、コンパレーターに誘導ユニットのエネルギー信号と参照値（例えば全部の又は一部の誘導ユニットのエネルギー平均値）とを比較させることで、当該誘導ユニットのエネルギー状態を取得する。実際には、各誘導ユニットはデジタル方式の高（Ｈ）と低（Ｌ）でエネルギー状態を表すことができる。
【００４８】
光センサーアレー装置の主な部品として、前述のアレー状に配列された誘導ユニットと、光源と制御回路以外、一実施例において、信号を増幅するゲイン増幅回路（例えばゲイン増幅器５０２）と、必要とする可能性があるノイズ・リダクション回路等も備える。実施例は図６に示す本発明の光センサーアレー装置内の光源のゲイン制御とノイズ・リダクション回路のモジュール図を参照してよい。
【００４９】
図６に示す回路は、本発明の光センシングアレー装置内の制御回路（例えば図３の制御回路３６）を実現する実施例である。制御回路に電圧源Ｖｓｕｐｐｌｙが設けられており、光センサーアレー装置の光源装置６０１が動作するための電力を提供し、光源装置６０１に給電駆動して発光させる。レーザー又は発光ダイオード（ＬＥＤ）には限定されないが、好ましくはレーザーがよい光源である。これは良好な空間コヒーレンスをもち、干渉効果を強めることができるからである。
【００５０】
回路には電流制限器６０２が設置されてもいい。関わる電気信号は一定の処理制御により光源装置６０１の電力に提供でき、又は関わる電気信号（例えば特定な電圧又は電流信号をフィルタリングする）を電流コントローラ６０３にフィードバックしてもいい。これにより、電流コントローラ６０３は光源装置６０１の電圧と電流をコントロールし、光源装置６０１の駆動電流を制限することも含む。
【００５１】
光線が光源装置６０１から一つの表面に入射すると、表面に反射される光は本発明が開示したセンサーアレーに受光され、図４又は図５に開示した光センサーアレー装置の誘導ユニットに受光された後、エネルギー信号に転換される。
【００５２】
再び前述の図５に示すセンサーアレーを参照する。中に幾つかのダミー誘導ユニットが設置され、これらのダミー誘導ユニットは移動ベクトル判断とする、エネルギー状態と変化の信号を含むエネルギー信号を提供しないが、単に光信号を判断する。図６に示す実施例において、ダミー誘導ユニットが反射光を受光してなる光強度信号６０は、回路中の第一のゲインコントローラ６０４により信号強度を調整され、内部マイクロプロセッサー６０７の参考に提供される。ダミー誘導ユニットが生じる光強度信号６０を取得し電圧Ｖｏｕｔを出力する以外、信号は適当なアナログ・ディジタル・コンバータ６０５に処理される。電気信号をデジタル信号に転換し、マイクロプロセッサー６０７にフィードバックする。その目的は、光源装置６０１の露光時間（ｅｘｐｏｓｕｒｅ  ｔｉｍｅ）と、複数の誘導ユニットが出力するエネルギー信号の信号ゲインの調整（ｓｉｇｎａｌ  ｇａｉｎ  ａｄｊｕｓｔｍｅｎｔ）とノイズ排除等である。
【００５３】
前記の信号強度をマイクロプロセッサー６０７にフィードバックすることで、その目的の一つは、光センサーアレー装置の光源装置６０１の露光時間（ｅｘｐｏｓｕｒｅ  ｔｉｍｅ  ａｄｊｕｓｔｍｅｎｔ）を自動的に調整することである。例えばマイクロプロセッサー６０７がパルス幅変調（ＰＷＭ）制御信号を前述の電流コントローラ６０３に送信し、例えば信号ライン６１１に介して制御信号を輸送し、このパルス幅変調制御信号の負荷サイクル（ｄｕｔｙ  ｃｙｃｌｅ）を制御することで光源装置６０１の発光サイクルを制御し、露光時間の調整により装置を制御して適当な時間の光信号を発生させる。
【００５４】
他の一実施例において、制御回路中のマイクロプロセッサー６０４は、装置が取得した光強度信号により光源装置６０１の最適化する措施をとる。例えば、信号ライン６１２に介して電流制御信号を電流コントローラ６０３に輸送することで、駆動電流を調整し、光源装置６０１は発生させる光強度を調整することができる。これにより、光源の強度／輝度及び前述の露光時間の調整により作り出されるコンペンセーション・メカニズムを調整し、センサーアレー装置は多くの情况、例えば異なる表面構造、当該表面との距離等の状況の表面に適応できる。
【００５５】
また、制御回路中のマイクロプロセッサー６０７は、センサーアレーにフィードバックされるエネルギー信号により、各誘導ユニットが出力する信号ゲインを制御する。例えば、信号ライン６１３に介して制御信号を輸送することと、ゲインコントローラ６０８により各誘導ユニットの信号ゲインを制御することと、そして各誘導ユニットの比較ユニット６０９を電気的に接続することより各誘導ユニットが受けるエネルギー信号と参照平均値とを比較することができる。
【００５６】
マイクロプロセッサー６０７がダミー誘導ユニットに取得される光強度信号を取得した後、（制御信号が信号ライン６１４に介して）比較ユニット６０９に設定されるノイズ排除の閾値を調整することで、動的に誘導ユニットの固有ノイズを低減する（ｎｏｉｓｅ  ｒｅｄｕｃｔｉｏｎ）ことができる。
【００５７】
光センサーアレー装置は異なる時間のエネルギー変化により、装置と表面との移動方向を判断する。装置は先ず各誘導ユニットが前後時刻（ｔ０，  ｔ１）に受けたエネルギーを取得する。次に、前後時刻のエネルギーの全て又は一部の誘導ユニットが受けたエネルギーの平均値を計算する。各誘導ユニットは、異なる時間に取得したエネルギーの数値（電圧信号で表示できる）を平均数値と比較した後、前後時刻のエネルギー変化を計算することができる。そして異なる時刻（ｔ０，  ｔ１）の隣接する誘導ユニットのエネルギー変化を参照することで、前後時刻のエネルギー変化の方向を判断することができる。最後に、複数の誘導ユニットのエネルギー変化方向により、全体的な移動ベクトルを判断する。
【００５８】
移動ベクトルの判断は、図７に示す本発明が開示した装置中の複数の誘導ユニットが行う光線追跡の模式図の一つをすればいい。
【００５９】
図７は、複数のアレー状に配列された誘導ユニットの組み合わせ７０１、７０２、７０３、７０４、７０５、７０６を示したが、本例は隣接する誘導ユニットが異なる時刻（例えば第１の時刻ｔ０、第２の時刻ｔ１）にセンシングしたエネルギー変化により移動ベクトルを識別する例を挙げるのみである。
【００６０】
中には、ｔ０とｔ１は前後の二つのサンプリング時刻であり、ＨとＬはそれぞれ前記のコンパレーターが出力する高い又は低い電圧信号を意味し、すなわちエネルギー状態（平均エネルギーに対し、一つのエネルギー状態であり）に視される。主に前後時刻の電圧信号転換により一つの全体的な移動ベクトルを判断する。図７は、個別の誘導ユニットの前後二つの異なる時刻のエネルギー変化を示している。
【００６１】
例えば、誘導ユニットの組み合わせ６０１の中に幾つか（少なくとも二つ）の誘導ユニットを模式的に示している。中には、左側が第１の時刻ｔ０の時、二つの誘導ユニットが別々にＬとＨの二つのエネルギー状態を誘導したことを示している。第２の時刻ｔ１になると、二つの誘導ユニットのエネルギー変化はＨとＨに変換される。Ｌ、Ｈ（ｔ０）がＨ、Ｈ（ｔ１）に変わる時、中の一つの誘導ユニットのエネルギー状態はＬからＨに変わり、右側のＨが左側の位置にシフトを示している。従って、この時間間隔では、有效誘導の移動方向は左であることを初歩的に判断できる。
【００６２】
この誘導ユニット組み合わせ７０１のもう一組の誘導ユニットは、第１の時刻のｔ０において、エネルギー状態がＨとＬである。第２の時刻のｔ１になると、エネルギー状態はＬとＬになる。中の一つの誘導ユニットのエネルギー状態はＨからＬに変わり、つまり右側のＬが左側の位置にシフトを示している。従って、左への移動方向があると判断できる。
【００６３】
また、例えば誘導ユニットの組み合わせ７０２中の左側の二つの誘導ユニットは、第１の時刻のｔ０におけるエネルギー状態がＬとＨであり、第２の時刻のｔ１になると、ＬとＬに変わり、中のＨが左側のＬを介して右へＬにシフトしたことがわかる。従って、右への移動ベクトルがあると判断できる。
【００６４】
同じように、誘導ユニット組み合わせ７０２の中、右側の二つの誘導ユニットは、第１の時刻ｔ０におけるエネルギー状態がＨとＬであり、その後、第２の時刻ｔ１に、ＨとＨに変わり、中の右側のＬが左側のＨを介して、Ｈにシフトした。従って、右への移動ベクトルがあると判断できる。
【００６５】
図には、誘導ユニット組み合わせ７０５と７０６は、矢印で方向を示していない。判断した結果、この例では、複数の誘導ユニットは、第１の時刻ｔ０と第２の時刻ｔ１の時間間隔に、エネルギー変化はない、またはエネルギー変化より移動方向を判断することができない。例えば、誘導ユニット組み合わせ７０６は、第１の時刻ｔ０にエネルギー状態はＬとＨであり、第２の時刻ｔ１になると、エネルギー状態はＨとＬに変わった。これはエネルギー状態変化により移動方向を判断することができない。従って、この二つの様態は、有效出力信号がない。
【００６６】
前後２つの時刻の全ての誘導ユニットが各々のエネルギー変化の方向を判断した時、一つの総移動ベクトルを全体的に判断できる。
【００６７】
他の一つの移動方向の判断方式は、図８に示すように、本発明が開示した装置の中誘導・チップが行う光線追跡方法の模式図も一つである。この例は、異なる時刻の誘導ユニットのエネルギー状態の転換方向により、移動ベクトルの方法を識別する模式図であり、中には、Ｘは気にしない値，＠はｔ０とｔ１センシングした信号の比、これにより移動ベクトルを判断する。
【００６８】
誘導チップが反射光を受光した時、誘導チップ内の複数の誘導ユニットが異なる時刻に受けた信号エネルギーと平均エネルギーとを比較する時、高い又は低い異なる電圧信号を生じ、図８に示すように、誘導信号"＠"を生じている；ある場合、一部の誘導ユニットにエネルギー変化がなく、又は電圧信号のレベルと関係ない。この時、図８のように、気にしない値"Ｘ"を示す。
【００６９】
図８に示す実施例によると、誘導ユニットの組み合わせ８０１の中、前記のコンパレーターが第１の時刻ｔ０に隣接する誘導ユニットのエネルギー変化を取得し、状態"Ｘ＠＠"で示す。中の"Ｘ"は気にしない値であり、"＠"は電圧変化があることを示す。第２の時刻ｔ１に複数の隣接する誘導ユニットのエネルギー変化を取得し、状態"＠＠Ｘ"で示す。第１の時刻ｔ０と第２の時刻ｔ１の各誘導ユニットのエネルギー状態変化により、本例は状態"Ｘ＠＠"から"＠＠Ｘ"に変わることを示している。"＠＠"が左へシフト（ｓｈｉｆｔ）することが判断できるので、図８の中の矢印で示すように、この誘導ユニットの組み合わせ８０１には左への移動の変化があると判断できる。
【００７０】
誘導ユニットの組み合わせ８０２では、その隣接する誘導ユニットの第１の時刻ｔ０のエネルギー変化を状態"＠＠Ｘ"に示し、第２の時刻ｔ１の時、エネルギー状態を"Ｘ＠＠"に示している。この時、時間転換（ｔ０からｔ１へ）の後、状態"＠＠"は右へのシフトトレンドがあると示す。したがって、本発明が開示した発明はこの前後時刻のエネルギー変化により、全体の装置の移動方向を判断する。
【００７１】
ちなみに、移動方向を判断する時、本発明はセンサーアレーを採用するため、微小な誤差が全体の判断の結果に影響を及ぼさない。追跡方法はコンピュータの光学式マウスに適用されると、一般の使用者がマウスを操作し移動する頻度は、例えば中の制御回路の処理速度により遥かに低いので、スローに変わる参照数値は全体の判断に影響を及ぼさない。
【００７２】
以上をまとめ、本発明が提供する光センサーアレー装置は、半導体パッケージ内に統合し、これにより、内部に固有する雑音（ｉｎｔｒｉｎｓｉｃ  ｎｏｉｓｅ）を効率的に抑制することができる。そして、光源の強度又は輝度、そして露光時間の調整により作り出されるコンペンセーション・メカニズムを動的に調整し、センサーアレー装置は多くの誘導表面に適応できる。
【００７３】
以上のように述べられたのは、本発明の好ましい実施方式であるが、説明すべくことは、本技術分野の普通の従業者にとって、本発明の原理を背離しない限り、若干の改善と修正もできる。これらの改善と修正は、本発明の保護範囲に入ることと視される。
【符号の説明】
【００７４】
光学式マウス１０     表面１１
マウスハウジング１２     回路基板１４
コントローラ１８     光源１６
センサー１９     アパーチャー１７
入射光２０１     表面構造２０５
反射光２０３
回路基板３０     複数のセンサー組３２
誘導ユニット３０１     光源装置３４
照射範囲３０３    制御回路３６
誘導ユニット４０１，  ４０２，  ４０３，  ４０４，  ４０５
コンパレーター４２１，  ４２２，  ４２３，  ４２４，  ４２５
加算器５０１     ゲイン増幅器５０２
計算器５０３     出力電圧Ｖｏｕｔ
ダミー誘導ユニット５１１，  ５１２，  ５１３，  ５１４，  ５１５，  ５１６
誘導ユニット５２１，  ５２２，  ５２３，  ５２４
電圧源Ｖｓｕｐｐｌｙ    光源装置６０１
電流制限器６０２     電流コントローラ６０３
第一のゲインコントローラ６０４  マイクロプロセッサー６０７
アナログ・ディジタル・コンバータ６０５  第二のゲインコントローラ６０８
パラメーター６０６      比較ユニット６０９
光強度信号６０    信号ライン６１１，  ６１２，  ６１３，  ６１４
誘導ユニット組合７０１，  ７０２，  ７０３，  ７０４，  ７０５，  ７０６
平均電圧信号Ｖａｖｇ   方向Ｘ，  Ｙ
第一の時刻ｔ０     第二の時刻ｔ１
誘導ユニット組合８０１，  ８０２
【図１】
0006326488.tif 000002
【図２】
0006326488.tif 000003
【図３】
0006326488.tif 000004
【図４】
0006326488.tif 000005
【図５】
0006326488.tif 000006
【図６】
0006326488.tif 000007
【図７】
0006326488.tif 000008
【図８】
0006326488.tif 000009